(57)【要約】【課題】発電機を停止する際、発電電動機ごとに電気ブレーキ用遮断器を設置しなければならず、設備が高価になる課題があった。【解決手段】励磁電流を零にすべき旨の指令値を励磁電流制御手段６３ａ、６３ｂに対して出力する一方、送電遮断器５５のトリップが完了したのち接地断路器５６を投入し、複数の発電電動機の界磁巻線に供給する励磁電流をそれぞれ制御して電気ブレーキを印加するようにしたものである。【選択図】　　　　図１
2004048989.tif 000002
【特許請求の範囲】
【請求項１】
互いに並列に接続された複数の発電電動機の主回路にそれぞれ設置された主変圧器と、上記複数の発電電動機の主回路を電力系統に連繋する送電遮断器と、一端が上記送電遮断器の発電所側と接続され、他端が接地された接地断路器と、上記複数の発電電動機の励磁回路にそれぞれ設置された界磁遮断器と、上記複数の発電電動機を停止する際、上記送電遮断器及び界磁遮断器をトリップするとともに、そのトリップが完了したのち上記接地断路器を投入する開閉器操作手段と、上記開閉器操作手段により接地断路器が投入されると、上記界磁遮断器を投入するとともに、上記複数の発電電動機の界磁巻線に供給する励磁電流をそれぞれ制御して、各発電電動機を停止させる電気ブレーキ印加手段とを備えたプラント制御装置。
【請求項２】
互いに並列に接続された複数の発電電動機の主回路にそれぞれ設置された主変圧器と、上記複数の発電電動機の主回路を電力系統に連繋する送電遮断器と、一端が上記送電遮断器の発電所側と接続され、他端が接地された接地断路器と、上記複数の発電電動機の界磁巻線に供給する励磁電流を指令値に基づいてそれぞれ制御する励磁電流制御手段と、上記複数の発電電動機を停止する際、上記送電遮断器をトリップするとともに、上記励磁電流を零にすべき旨の指令値を上記励磁電流制御手段に対して出力し、その送電遮断器のトリップが完了したのち上記接地断路器を投入する開閉器操作手段と、上記開閉器操作手段により接地断路器が投入されると、上記複数の発電電動機の界磁巻線に供給する励磁電流をそれぞれ制御して、各発電電動機を停止させる電気ブレーキ印加手段とを備えたプラント制御装置。
【発明の詳細な説明】
【０００１】
【発明の属する技術分野】
この発明は、揚水発電所に設置されている発電電動機の停止制御を行うプラント制御装置に関するものである。
【０００２】
【従来の技術】
図３はプラント制御装置の従来例を示す単線結線図であり、図において、５１ａ，５１ｂは揚水発電用の発電電動機、５２ａは発電電動機５１ａの主回路、５２ｂは発電電動機５１ｂの主回路、５３ａは発電電動機５１ａの励磁回路、５３ｂは発電電動機５１ｂの励磁回路である。
【０００３】
また、５４は主回路５２ａ，５２ｂを電力系統に連繋する送電線、５５は送電遮断器、５６は一端が送電遮断器５５の発電所側と接続され、他端が接地された点検用の接地断路器、５７ａ，５７ｂは特高側断路器、５８ａ，５８ｂは主回路５２ａ，５２ｂにそれぞれ設置された主変圧器、５９ａ，５９ｂは発電運転用の相反転断路器、６０ａ，６０ｂは揚水運転用の相反転断路器、６１ａ，６１ｂは発電機遮断器、６２ａ，６２ｂは発電電動機５１ａ，５１ｂの端子をそれぞれ短絡する電気ブレーキ用断路器である。
【０００４】
また、６３ａ，６３ｂは界磁巻線６５ａ，６５ｂに励磁電流を供給するサイリスタ励磁装置、６４ａ，６４ｂは励磁回路５３ａ，５３ｂにそれぞれ設置された界磁遮断器、６５ａ，６５ｂはそれぞれ発電電動機５１ａ，５１ｂの界磁巻線、６６ａ，６６ｂ，６７ａ，６７ｂは始動用断路器、６８はサイリスタ始動装置である。
【０００５】
次に発電電動機を停止する場合の手順を説明する。
例えば、発電電動機５１ａを停止する場合（発電電動機５１ｂの停止も同様であるので説明を省略する）、最初に、図示せぬ制御回路が、発電機遮断器６１ａを開放するとともに、サイリスタ励磁装置６３ａを制御して、界磁巻線６５ａに供給する励磁電流を零にする。
【０００６】
そして、図示せぬ制御回路が、電気ブレーキ用断路器６２ａを閉路して発電電動機５１ａの端子を短絡状態にしたのち、サイリスタ励磁装置６３ａを制御して、発電電動機５１ａに定格電流が流れる程度の励磁電流を界磁巻線６５ａに供給し、電気ブレーキを印加する。
これにより、発電電動機５１ａは停止することになる。
【０００７】
【発明が解決しようとする課題】
従来のプラント制御装置は以上のように構成されているので、発電電動機を停止する場合（図３参照）、発電電動機の端子を短絡する電気ブレーキ用断路器６２ａ，６２ｂを各発電電動機５１ａ，５１ｂごとに設置しなければならず、設備費が高価になる課題があった。
【０００８】
この発明は上記のような課題を解決するためになされたもので、電気ブレーキ装置を簡略化することができるプラント制御装置を得ることを目的とする。
【０００９】
【課題を解決するための手段】
この発明に係るプラント制御装置は、複数の発電電動機を停止する際、送電遮断器及び界磁遮断器のトリップが完了したのち接地断路器を投入し、複数の発電電動機の界磁巻線に供給する励磁電流をそれぞれ制御して電気ブレーキを印加するようにしたものである。
【００１０】
この発明に係るプラント制御装置は、励磁電流を零にすべき旨の指令値を励磁電流制御手段に対して出力する一方、送電遮断器のトリップが完了したのち接地断路器を投入し、複数の発電電動機の界磁巻線に供給する励磁電流をそれぞれ制御して電気ブレーキを印加するようにしたものである。
【００１１】
【発明の実施の形態】
以下、この発明の実施の一形態を説明する。
実施の形態１．
図１はこの発明の実施の形態１によるプラント制御装置を示す単線結線図であり、図において、５１ａ，５１ｂは揚水発電用の発電電動機、５２ａは発電電動機５１ａの主回路、５２ｂは発電電動機５１ｂの主回路、５３ａは発電電動機５１ａの励磁回路、５３ｂは発電電動機５１ｂの励磁回路である。
【００１２】
また、５４は主回路５２ａ，５２ｂを電力系統に連繋する送電線、５５は送電遮断器、５６は一端が送電遮断器５５の発電所側と接続され、他端が接地された点検用の接地断路器、５７ａ，５７ｂは特高側断路器、５８ａ，５８ｂは主回路５２ａ，５２ｂにそれぞれ設置された主変圧器、５９ａ，５９ｂは発電運転用の相反転断路器、６０ａ，６０ｂは揚水運転用の相反転断路器、６１ａ，６１ｂは発電機遮断器である。
【００１３】
また、６３ａ，６３ｂは界磁巻線６５ａ，６５ｂに励磁電流を供給するサイリスタ励磁装置（励磁電流制御手段）、６４ａ，６４ｂは励磁回路５３ａ，５３ｂにそれぞれ設置された界磁遮断器、６５ａ，６５ｂはそれぞれ発電電動機５１ａ，５１ｂの界磁巻線、６６ａ，６６ｂ，６７ａ，６７ｂは始動用断路器、６８はサイリスタ始動装置である。
因に、図２はこの発明の実施の形態１によるプラント制御装置の動作を示すフローチャートである。
【００１４】
次に、発電電動機５１ａ，５１ｂを停止する場合の手順を説明する。
最初に、図示せぬ制御回路（開閉器操作手段）が、送電遮断器５５をトリップして、発電電動機５１ａ，５１ｂを電力系統から切り離す処理を行う（ステップＳＴ１）。
そして、図示せぬ制御回路（開閉器操作手段）が、界磁遮断器６４ａ，６４ｂをトリップして、界磁巻線６５ａ，６５ｂに供給する励磁電流を遮断し、発電電動機５１ａ，５１ｂの端子電圧を低下させる（ステップＳＴ２）。
【００１５】
そして、図示せぬ制御回路（開閉器操作手段）が、発電電動機５１ａ，５１ｂの端子電圧が残留電圧まで低下したら、点検用の接地断路器５６を投入する（ステップＳＴ３）。
これにより、発電電動機５１ａ，５１ｂの端子を短絡状態にしたことと等価となるため、界磁遮断器６４ａ，６４ｂを投入して界磁巻線６５ａ，６５ｂに励磁電流を供給すれば、発電電動機５１ａ，５１ｂから接地断路器５６に向けて短絡電流が流れることになる。
【００１６】
そして、接地断路器５６を投入すると、図示せぬ制御回路（電気ブレーキ印加手段）が、界磁遮断器６４ａ，６４ｂを投入する（ステップＳＴ４）。
そして、サイリスタ励磁装置６３ａ，６３ｂを制御して、発電電動機５１ａ，５１ｂに定格電流が流れる程度の励磁電流を界磁巻線６５ａ，６５ｂに供給し、電気ブレーキを印加する（ステップＳＴ５）。複数の発電電動機に定格電流が流れる程度の励磁電流を界磁巻線に供給するように構成したので、電気ブレーキの効果を最大にすることができる効果がある。
これにより、発電電動機５１ａ，５１ｂは停止することになる。
【００１７】
以上より、この実施の形態１によれば、通常設置されている点検用の接地断路器５６を用いて電気ブレーキを印加するようにしたので、従来のもののように、電気ブレーキ用断路器６２ａ，６２ｂを発電電動機５１ａ，５１ｂごとに設置することなく、発電電動機５１ａ，５１ｂを停止させることができる。
また、この実施の形態１の場合、短絡電流が主変圧器５８ａ，５８ｂを通過することになるので、発電電動機５１ａ，５１ｂのコイルだけでなく、主変圧器５８ａ，５８ｂのコイルからも熱が発生するようになり、その結果、従来のものよりも発電制動の効果が大きくなって、発電電動機５１ａ，５１ｂの停止時間が短縮されることになる。
【００１８】
実施の形態２．
上記実施の形態１では、発電電動機５１ａ，５１ｂを停止する際、界磁遮断器６４ａ，６４ｂをトリップして、発電電動機５１ａ，５１ｂの界磁巻線６５ａ，６５ｂに供給する励磁電流を遮断するものについて示したが、サイリスタ励磁装置６３ａ，６３ｂを制御して、発電電動機５１ａ，５１ｂの界磁巻線６５ａ，６５ｂに供給する励磁電流を零にするようにしてもよく、上記実施の形態１と同様の効果を奏することができる。
【００１９】
実施の形態３．
上記実施の形態２では、２台の発電電動機５１ａ，５１ｂを同時に停止する場合について示したが、一方の発電電動機が停止している状態で、他方の発電電動機を停止する場合に当該発明を適用してもよく、上記実施の形態１と同様の効果を奏することができる。
【００２０】
【発明の効果】
以上のように、この発明によれば、複数の発電電動機を停止する際、送電遮断器及び界磁遮断器のトリップが完了したのち接地断路器を投入し、複数の発電電動機の界磁巻線に供給する励磁電流をそれぞれ制御して電気ブレーキを印加するように構成したので、従来のもののように、電気ブレーキ用断路器を各発電電動機ごとに設置することなく、発電電動機を停止させることができるようになり、装置構成を簡略化できる効果がある。
また、短絡電流が主変圧器を通過することになるので、発電電動機のコイルだけでなく、主変圧器のコイルからも熱が発生するようになり、その結果、従来のものよりも発電制動の効果が大きくなって、発電電動機の停止時間が短縮される効果もある。
【００２１】
この発明によれば、励磁電流を零にすべき旨の指令値を励磁電流制御手段に対して出力する一方、送電遮断器のトリップが完了したのち接地断路器を投入し、複数の発電電動機の界磁巻線に供給する励磁電流をそれぞれ制御して電気ブレーキを印加するように構成したので、従来のもののように、電気ブレーキ用断路器を各発電電動機ごとに設置することなく、発電電動機を停止させることができるようになり、装置構成を簡略化できる効果がある。
また、短絡電流が主変圧器を通過することになるので、発電電動機のコイルだけでなく、主変圧器のコイルからも熱が発生するようになり、その結果、従来のものよりも発電制動の効果が大きくなって、発電電動機の停止時間が短縮される効果もある。
【図面の簡単な説明】
【図１】この発明の実施の形態１によるプラント制御装置を示す単線結線図である。
【図２】この発明の実施の形態１によるプラント制御装置の保護回路を示すフロー図である。
【図３】従来のプラント制御装置を示す単線結線図である。
【符号の説明】
５１ａ，５１ｂ　発電電動機、５２ａ，５２ｂ　主回路、５３ａ，５３ｂ　励磁回路、５４　送電線、５５　送電遮断器、５６　設地遮断器、５７ａ，５７ｂ　特高側断路器、５８ａ，５８ｂ　主変圧器、５９ａ，５９ｂ　相反転断路器、６１ａ，６１ｂ　発電機遮断器、６２ａ，６２ｂ　電気ブレーキ用断路器、６３ａ，６３ｂ　サイリスタ励磁装置（励磁電流制御手段）、６４ａ，６４ｂ　界磁遮断器、６５ａ，６５ｂ　界磁巻線、６６ａ，６６ｂ，６７ａ，６７ｂ　始動用断路器、６８　サイリスタ始動装置。
【図１】
2004048989.tif 000003
【図２】
2004048989.tif 000004
【図３】
2004048989.tif 000005